(57)【要約】【課題】同一メッセージの複数の受信者に対して単一のメッセージインスタンスを使用することが可能な方法およびシステムを提供する。【解決手段】メッセージインスタンスを減らしてデータを送信する方法およびシステムが開示される。無線メッセージネットワーク（１１）は、宛先識別子とメッセージポインタを使用してメッセージデータを複数のモバイル装置（２１〜２４）に導き、メッセージの重複を回避する。重複するメッセージの場合に効率を上げるために、メッセージへのポインタを複数の宛先識別子に関連付けることができる。【選択図】図２
2006074813.tif 000002
【特許請求の範囲】
【請求項１】
無線ネットワーク内でメッセージを送信する方法であって、
特定のメッセージについてのＷＴＲＵのメッセージアドレスステータスを識別するステップと、
同じメッセージアドレスステータスを有するＷＴＲＵが他にあるかどうかを判定するステップと、
複数のＷＴＲＵが同じメッセージアドレスステータスを有する場合は、前記同じメッセージアドレスステータスを有するすべてのＷＴＲＵに前記メッセージを１回送信するステップと
を備えることを特徴とする方法。
【請求項２】
ポインタとともに宛先識別子を含むフレーム形式で前記メッセージが提供されるステップと、
前記ＷＴＲＵに関連付けられた宛先識別子に対する共通のメッセージに同じポインタを割り当てるステップと
をさらに備えることを特徴とする請求項１に記載の方法。
【請求項３】
メッセージを送信することが可能な無線通信ネットワークであって、
特定のメッセージについてのブロードキャスト位置にあるＷＴＲＵのメッセージアドレスステータスを識別子する手段と、
順序付けられたフレーム構造内のメッセージを送信することができ、複数のＷＴＲＵが同じメッセージアドレスステータスを有する場合は、前記同じメッセージアドレスステータスを有するすべてのＷＴＲＵに前記メッセージを１回送信する送信機と
を備えることを特徴とするネットワーク。
【請求項４】
ポインタとともに宛先識別子を含むフレーム形式で前記メッセージを提供する手段と、
前記ＷＴＲＵに関連付けられた宛先識別子に対する共通のメッセージに同じポインタを割り当てる手段と
をさらに備えることを特徴とする請求項３に記載のネットワーク。
【請求項５】
無線通信ネットワーク内で着信メッセージを処理する方法であって、前記ネットワークは、複数のＷＴＲＵと、少なくとも１つのメッセージに関連付けられた少なくとも１つの受信者リストとを備え、前記方法は、
（ａ）前記着信メッセージが、前記受信者リストに関連付けられたメッセージの重複であるかどうかを判定するステップと、
（ｂ）前記着信メッセージが前記受信者リストに関連付けられたメッセージの重複であるとステップ（ａ）で判定された場合、まだ前記受信者リストにないＷＴＲＵの識別を前記受信者リストに加えるステップと、
（ｃ）前記追加されたＷＴＲＵを、前記受信者リストに関連付けられた前記メッセージに関連付けるフレーム形式で、宛先識別子とポインタを割り当てるステップと、
（ｄ）各前記ＷＴＲＵが、前記着信メッセージの受信に備えるために十分な時間を有するように、前記ネットワークによって使用されるメッセージ送信時間遅延パラメータを調整するステップと
を備えることを特徴とする方法。
【請求項６】
無線通信ネットワーク内で着信メッセージを処理する方法であって、前記ネットワークは、複数のＷＴＲＵと、少なくとも１つのメッセージに関連付けられた少なくとも１つの受信者リストとを備え、前記方法は、
（ａ）特定の着信メッセージについての各前記ＷＴＲＵのメッセージアドレスステータスを判定するステップと、
（ｃ）前記メッセージアドレスステータスによって指示されるすべてのＷＴＲＵに、前記特定の着信メッセージの単一のインスタンスを送信するステップと
を備えることを特徴とする方法。
【請求項７】
メッセージを、前記メッセージを受信する複数のＷＴＲＵに関連付けることが可能なネットワークであって、
順序付けられたフレームを論理制御チャネルを通じてブロードキャストして、前記メッセージを前記ＷＴＲＵに関連付ける手段であって、前記順序付けられたフレームは、宛先識別子と、前記ＷＴＲＵそれぞれが受信するメッセージへのポインタとを含む手段と、
前記論理制御チャネルを、プライマリ共通制御物理チャネル（ＰＣＣＰＣＨ）に適用されるブロードキャストトランスポートチャネルに対応付ける手段と、
前記識別子とポインタを一意のシステム情報ブロック（ＳＩＢ）に保持する手段と、
前記ＳＩＢに関連付けられたスケジューリング情報をマスタ情報ブロック（ＭＩＢ）に保持する手段と
を備え、前記ＷＴＲＵは、前記ＳＩＢを取得して前記宛先識別子とポインタを判定することを特徴とするネットワーク。
【請求項８】
前記宛先識別子とポインタの異なる分類が複数のＳＩＢに分割されることを特徴とする請求項７に記載のネットワーク。
【請求項９】
メッセージを、前記メッセージを受信する複数のＷＴＲＵに関連付けることが可能なネットワークであって、
順序付けられたフレームを論理制御チャネルを通じてブロードキャストして、前記メッセージを前記ＷＴＲＵに関連付ける手段であって、前記順序付けられたフレームは、宛先識別子と、前記ＷＴＲＵそれぞれが受信するメッセージへのポインタとを含む手段と、
前記論理制御チャネルを、セカンダリ共通制御物理チャネル（ＳＣＣＰＣＨ）に適用されるフォワードアクセスチャネル（ＦＡＣＨ）に対応付ける手段と、
前記識別子とポインタを一意のシステム情報ブロック（ＳＩＢ）に保持する手段と、
前記ＳＩＢに関連付けられたスケジューリング情報をマスタ情報ブロック（ＭＩＢ）に保持する手段と
を備え、前記ＷＴＲＵのユーザは、前記ＳＩＢを取得して前記宛先識別子とポインタを判定することを特徴とするネットワーク。
【請求項１０】
前記宛先識別子とポインタの異なる分類が複数のＳＩＢに分割されることを特徴とする請求項９に記載のネットワーク。
【請求項１１】
前記ＳＩＢにメッセージが含まれることを特徴とする請求項９に記載のネットワーク。
【発明の詳細な説明】
【技術分野】
【０００１】
本発明は、無線通信の分野に関する。より詳細には、本発明は、無線送信システム内のメッセージングに関する。
【背景技術】
【０００２】
メッセージングは、無線送信システムの発展しつつある部分である。しかし、従来技術では、メッセージの送信に関して不十分な無線リソースを効率的に使用できていない。
【０００３】
一般的なブロードキャストの場合、メッセージは、特定の時に特定のチャネルで特定のチャネライゼーションコードで送信される。ブロードキャストメッセージは、配信の信頼性(robustness)やタイミングに問題がある場合にのみ再送信される（すなわち、デバイスは、通常は、しかるべき時にしかるべき場所にある間にメッセージを受信することを求める）。しかし、ブロードキャストメッセージは、しばしば、広大な地理的範囲を超えて送信され、そのため多数のセルを含む。この理由から、メッセージのブロードキャストは、メッセージを受信するユーザが多数いる場合にのみ効率的となる。
【０００４】
あらかじめ決められた数のユーザにメッセージが送信されるマルチキャストは、限られた受信者と、対象とする各受信者への選択的な送信を伴う。広大な地理的範囲を超えて送信されるブロードキャストメッセージと対照的に、マルチキャストでは、同じデータ（すなわちメッセージ）の複数のインスタンスが、対象グループのデバイスだけに送信される。ブロードキャストよりも効率的であるにも関わらず、同じメッセージの複数のインスタンスを送信することは、無線リソースの効率的な使用法ではない。すなわち、従来技術のマルチキャスト送信では、メッセージとそれに関連付けられたポインタは１対１の対応関係を有し、その結果同じメッセージが複数送信される。
【０００５】
別の手法は、複数のデバイスにグループ識別子を割り当てるものである。グループ識別子は、メッセージとポインタとの１対１の対応関係を減らし、メッセージの単一のインスタンスが、割り振られたその識別子を有する各デバイスによって受信されることを可能にする。しかし、このグループ識別子の手法は、グループを形成するデバイスの事前の知識があり、そのグループ識別子がある期間にわたって複数回使用されることが予想される場合にしか効率的でない。さらに、グループ識別子は、オフラインまたはオンラインのプログラミングを介してデバイス中に設定されなければならないので、アドホックの（少なくとも無線ネットワークに関してアドホックの）メッセージ配信の効率的な手段ではない。すなわち、電子メールの発信元からのグループページが、実際には反復するグループである可能性があるが、ＲＦネットワークは、その反復グループについての事前の知識を持たない。
【発明の開示】
【発明が解決しようとする課題】
【０００６】
したがって、同一メッセージの複数の受信者に対して単一のメッセージインスタンスを使用することが可能な方法およびシステムが必要とされる。
【課題を解決するための手段】
【０００７】
本発明は、メッセージインスタンスを減らしてメッセージを送信する方法およびシステムである。同じメッセージの受信が識別される複数のＷＴＲＵがあるかどうかについて判定が行われる。複数ある場合は、すべての受信ＷＴＲＵに対してメッセージの単一のインスタンスを送信することができる。
【発明を実施するための最良の形態】
【０００８】
図面を参照して本発明を説明する。すべての図面で、同様の参照符号は同様の要素を表す。本発明の説明で、無線送受信装置（ＷＴＲＵ）は、送信のみ、受信のみ、あるいは送信および受信の機能を有することが可能である。一例は、メッセージの受信はできるが送信は不可能な標準的ページャである。本発明では、受信能力はメッセージの受信にとって重要であり、その場合、特定の装置は少なくとも無線受信機能を有する。一方、送信と受信の両方が可能なＷＴＲＵは、一般には一方向メッセージの受信に使用することができる。したがって、本発明の説明で、ＷＴＲＵは、無線環境でデータの受信および／または送信が可能な任意のデバイスでよい。
【０００９】
次いで図１を参照すると、従来技術によるマルチキャストメッセージが送信される方式を説明する図が示される。図１では、一意の宛先識別子を使用して、複数のＷＴＲＵ２、４、５が、同一のメッセージ、すなわちメッセージ１を受信するものと識別される。従来技術では、ＷＴＲＵごとにメッセージ１の別個のインスタンスが提供される（ＷＴＲＵ２とポインタ６、ＷＴＲＵ４とポインタ８、およびＷＴＲＵ５とポインタ９を参照）。そのため、図１では、メッセージとポインタの間に１対１の対応関係がある。
【００１０】
しかし、本発明によれば、同じメッセージが２つ以上の宛先識別子に（すなわち宛先識別子が１つのＷＴＲＵに関連付けられるか複数のＷＴＲＵに関連付けられるかに応じて２つ以上のＷＴＲＵに）送信される場合に、メッセージの１つのみのインスタンスが使用されるように、宛先識別子が調整される。
【００１１】
次いで図２を参照すると、モバイルネットワーク１１が示される。モバイルネットワーク１１は、１つまたは複数のノードＢ１５を通じて無線ネットワークコントローラ（ＲＮＣ）１４に応答する複数の基地局１２、１３を含む。複数のＷＴＲＵ２１〜２４は、ネットワークから送信されるメッセージを受信する。基地局１２、１３は、アンテナ２７を介して信号を送受信する。ＷＴＲＵ２１〜２４は、基地局１２、１３から（ＷＴＲＵ２１のアンテナ２８を介して）信号を受信する受信機またはトランシーバを有する。
【００１２】
ＷＴＲＵ２１〜２４は、携帯電話、ページャ、Ｂｌａｃｋｂｅｒｒｙ（商標）デバイス、あるいはモデム接続を備えるコンピュータなど、システムでサポートされる複数のデバイスのいずれでもよい。基地局１２、１３は、各種のネットワーク管理および通信の機能を行うＲＮＣ１４によって制御される。基地局１２、１３は、送信機能と、個々のセルあるいは送信エリア内のＷＴＲＵ２１〜２４に送信される信号を提供する。基地局１２、１３から送信された信号を受信するために、各ＷＴＲＵのＲＦ段階によって受信機能が提供される。双方向デバイスの場合は、各ＷＴＲＵは送信と受信の両機能を有し、ＷＴＲＵ２１〜２４がアップリンクのデータを送信し、ダウンリンクのデータを受信できるようにする。
【００１３】
ネットワークが、複数のＷＴＲＵ、例えばＷＴＲＵ２１および２２への配信が識別される単一のメッセージを検出した場合、ネットワークは、同じメッセージの複数のインスタンスを送信することを控える。代わりに、ＷＴＲＵ２１および２２には、同じメッセージをポイントするメッセージポインタが提供される。各メッセージポインタは、そのメッセージを入手することが可能な特定の物理チャネルと時間を指定する。
【００１４】
ネットワークは、特定のメッセージの受信者リストを評価し、単一のメッセージの受信が識別される複数のＷＴＲＵがあるかどうかを判定することにより、複数のＷＴＲＵへの単一メッセージの受信の発生を検出することができる。単一のメッセージの受信が識別されると識別されるＷＴＲＵは、メッセージアドレスステータスを使用して追跡することができる。メッセージアドレスステータスは、ＷＴＲＵに固有である可能性があり、ある特定のＷＴＲＵが、同じメッセージの受信が識別されるＷＴＲＵのグループに属するかどうかを示す。同じメッセージの受信が識別されるＷＴＲＵが複数ある（２１および２２）場合、そのメッセージの単一のインスタンスが受信ＷＴＲＵのすべてに送信される。同じメッセージの受信が識別され、したがって減らしたメッセージインスタンスの候補となるＷＴＲＵを判定および識別する他の方法が本発明の範囲内にあり、本明細書に記載されるように実施することができる。そのような方法の例は下記で述べる。
【００１５】
図３は、複数の宛先識別子４２、４４、および４６に送信されるメッセージ、すなわちメッセージＭの単一のインスタンスを示すタイミングシーケンス４０を有する、時間順のフレームの図である。宛先識別子４２、４４、および４６はそれぞれ、１つまたは複数のＷＴＲＵに関連付けることができる。この場合は、メッセージ「Ｍ」が、宛先識別子４２、４４、および４６に関連付けられたＷＴＲＵに配信されることが識別されている。すなわち、メッセージＭの複数のインスタンスを提供するのではなく、単一のインスタンスを提供し、それによりシステムリソースを最大限に活用する。
【００１６】
この手法を実施する際には、メッセージを受信するすべてのＷＴＲＵがメッセージの送信中にメッセージを受信できるような方式でメッセージが行われなければならないという一般的な制約がある。例として、メッセージの送信は、最後の宛先識別子の送信時間より後に、すべてのＷＴＲＵがメッセージの受信に備えるのに十分な時間遅延をもって行わなければならない。
【００１７】
特定のメッセージへのポインタの使用は任意数の宛先識別子とともに行ってよく、また、必要に応じて、他のＷＴＲＵに向かうメッセージが間にあってもよいことに留意することは重要である。さらに、上述のように、宛先識別子の１つまたは複数は実際には、無線技術の当業者に周知の方式でいくつかのＷＴＲＵのグループ識別子であってよい。
【００１８】
本発明による、同じメッセージをいつ複数回使用することができるかの判定は、必要に応じて精緻化し、適合することができる。すなわち、判定は各種の実施形態で実施することができる。
【００１９】
例として、第１の実施形態では、複数の受信ＷＴＲＵを同一のメッセージに関連付けるようにメッセージの送信元をプログラムすることができる。複数の受信者を有する電子メールメッセージを例として使用すると、無線ネットワークは、そのようなメッセージを受信すると、受信者リストを、それら受信者について有するカバーエリアに照らして比較する。場所が異なるため、あるいはネットワークの提携のために、メッセージと受信者を別個の送信に分けることが必要となる場合がある。しかし、受信ＷＴＲＵのうち２つ以上が同じ識別の送信を受信し、続いて同じメッセージの送信を受信することが可能であれば、本発明の解決法を利用することができる。
【００２０】
第２の実施形態では、メッセージと受信ＷＴＲＵに関するデータとが個別に無線ネットワークに入り、多くのタイプのメッセージが、弊害を受けずにいくらかの配信の遅延に耐えることができる。この場合、システムは、この許容可能な遅延時間の何分の一かにわたり、重複がないかメッセージを比較する。これは、多くの場合、ハッシュ関数などの手法を用いて最小限の計算で行うことができる。重複が検出されると、チェックを行って、重複したメッセージのうち１回の送信で送信できるものがあるかどうかを判定する。送信できる場合は、重複したメッセージの単一のインスタンスをポイントするポインタが、重複したメッセージの受信が識別されるＷＴＲＵに提供される。
【００２１】
第３の実施形態では、無線システムは、ＷＴＲＵへの送信を監視するエンティティを含むことができる。このエンティティは、特定のＷＴＲＵグループが同じメッセージの送信を受信するかどうかに関する尤度係数を設定する。それらのＷＴＲＵの１つへのメッセージが受信されると、そのメッセージを送信する前に、遅延と、他のデバイスについてメッセージの重複がないかの検索がトリガされる。重複が検出された場合は、そのメッセージの単一のインスタンスが送信される。検出されない場合は、メッセージの別個のインスタンスが、各受信ＷＴＲＵに送信される。
【００２２】
第４の実施形態では、無線システムが特定のデバイス識別子のグループを監視するように事前にプログラムされ、そのグループの個々の識別子へのメッセージの重複がないか調べる。重複が検出された場合は、メッセージの単一のインスタンスが送信される。検出されない場合は、メッセージの個別のインスタンスが、各受信ＷＴＲＵに送信される。
【００２３】
第３世代（３ＧＰＰ）セルラネットワークで本発明を実施するには、図３に識別される宛先識別子とポインタを、ブロードキャスト共通制御チャネル（ＢＣＣＨ）またはそれに相当する論理制御チャネルによるブロードキャストで、セルの全ユーザに知らせる。ＢＣＣＨまたはそれに相当する論理的制御チャネルが、プライマリ共通制御物理チャネル（ＰＣＣＰＣＨ）に適用されるブロードキャストトランスポートチャネル（ＢＣＨ）またはそれに相当するブロードキャストトランスポートチャネルに対応付けられる。あるいは、ＢＣＣＨまたはそれに相当する論理制御チャネルを、セカンダリ共通制御物理チャネル（ＳＣＣＰＣＨ）に適用されるフォワードアクセスチャネル（ＦＡＣＨ）に対応付けることもできる。
【００２４】
図３では、ＷＴＲＵは、タイミングシーケンス４０全体を調べて自身に対するメッセージがあるかどうかを判定しなければならない。より効率的な処理とＷＴＲＵのバッテリ消費の低減を得るには、宛先識別子とポインタの決定性のスケジューリングを提供することが必要である。さらに、情報とシグナリングの周期性を得る必要性は、シグナリングされるシグナリング情報に固有であるため、論理的に別個の情報（すなわち宛先識別子およびポインタ）を独立してシグナリングする必要がある。そのため、本発明の別の実施形態では、宛先識別子とポインタは、一意のシステム情報ブロック（ＳＩＢ）に保持される。したがって、この実施形態では、宛先識別子とポインタは特定のＳＩＢに関連付けられ、それによりＷＴＲＵが単に、メッセージを受信するために読み込むべき個々のＳＩＢを判断できるようにする。すなわち、宛先識別子とポインタのリストは、比較的大きくなる可能性がある。ＷＴＲＵに、タイミングシーケンス（タイミングシーケンス４０など）に含まれる各々の宛先識別子とポインタを調べさせるのを回避するために、ＳＩＢ情報は、複数の独立した送信に分割することができる。あるいは、宛先識別子とポインタの別の分類を複数のＳＩＢに分けることも可能である。
【００２５】
ＷＴＲＵは、個々のＳＩＢのスケジューリングを識別するマスタ情報ブロック（ＭＩＢ）からどのＳＩＢを読み込むべきかを判定することができる。すなわち、この実施形態では、ＷＴＲＵが特定のタイミングシーケンス（タイミングシーケンス４０など）に含まれるすべての宛先識別子とポインタを調べる代わりに、ＷＴＲＵは、単に、ＭＩＢを調べて、（ＳＩＢに含まれる）該当する宛先識別子とポインタを迅速に判定することができる。したがって、宛先識別子とポインタは特定のＳＩＢに関連付けられる。そのため、ユーザは、自身がそのサービスに関連付けられているＳＩＢを取得すればよい。
【００２６】
この実施形態を説明するために、図４を参照する。図４には、ポインタ５０４、５０６、および５０８を含むＭＩＢ５０２を示す。ＭＩＢは、各セルに固有であってよいことに留意されたい。したがって、ＷＴＲＵは、セルに入るたびにＭＩＢを読み出す。ＭＩＢ５０２を読み出すことにより、各自のＳＩＢがどこに見つかるかがＷＴＲＵに通知される。ＳＩＢは、そのＷＴＲＵの宛先識別子とポインタが提示される時間間隔をＷＴＲＵに知らせる。宛先識別子とポインタは周期的に更新される場合があることにも留意されたい。例えば、株価の場合には、１０分ごとに新しいメッセージが送信される可能性がある。その場合、ＷＴＲＵは、１０分ごとにＳＩＢを読み取って更新された情報を受け取るが、ＭＩＢを読み取る必要はない。これは、宛先識別子とポインタの実際のスケジューリングが変化しない限り、ＭＩＢは変化しないためである。
【００２７】
例えば、引き続き図４を参照すると、ＭＩＢ５０２は、それぞれＳＩＢ１、ＳＩＢ２、ＳＩＢ  Ｎをポイントするポインタ５０４、５０６、および５０８を含む。サービスＡに加入しているＷＴＲＵは、ＭＩＢを読み取り、ＳＩＢ１  ５１０に導かれる。ＳＩＢ１  ５１０の読み取りから、ＷＴＲＵは、サービスＡの宛先識別子とポインタ５１２を読み取る。そして、ＷＴＲＵは、サービスＡについてのメッセージを取り出すことができる。この実施形態では、任意数のＷＴＲＵをサービスＡの宛先識別子（すなわちサービスＡに加入しているすべてのユーザ）に関連付けることができる。したがって、サービスＡに加入しているすべてのＷＴＲＵは、ＭＩＢとＳＩＢを読み取ることにより、サービスＡの一部として送信されるあらゆるメッセージの単一のインスタンスに導かれる。サービスＢおよびＸに関連付けられたＷＴＲＵは、同様に、それらのサービスに従って送信されるメッセージの単一のインスタンスに導かれることができる。
【００２８】
上記で説明し、図４に示す実施形態は、図５に示すように実際のメッセージがＳＩＢに含まれるように変更することができる。図５では、ＷＴＲＵが上記と同じようにＭＩＢを読み取るが、ここでは、ＷＴＲＵが自身のＳＩＢを得る時に実際のメッセージを得るので余分なステップが除去される。これは、メッセージの単一のインスタンスを複数のＷＴＲＵに送信することも可能にする。すなわち、各ＷＴＲＵはＭＩＢ６０１を読み取り、現在サービスＡについて送信されようとしているメッセージ６０２の単一のインスタンスを含むＳＩＢ１  ６０４に導かれる。
【００２９】
複数レベルのポインタとメッセージを提供することが可能であることに留意されたい。したがって、より固有なタイプのメッセージの入手可能性を示すメッセージへのポインタなど、包括的なメッセージポインタを含めることができる。そして、ユーザは、事前の設定か、または包括的なメッセージを受信した際の選択により、特定タイプのメッセージを受信することを選択することができる。この選択を行って、ＷＴＲＵがそのメッセージを受信することをネットワークに知らせるか、または選択は受動的にして、ＷＴＲＵがより固有のメッセージに応答できるようにすることができる。例として、商業空間に入るユーザには、ユーザが商業的情報を受信することを選択できるように商業的情報を提供することができる。
【００３０】
図６は、本発明の好ましい実施形態によるメッセージ到着分析ルーチンによって実施される方法ステップを説明するフローチャートである。メッセージが到着すると、そのメッセージが、保留中受信者リストへのメッセージと重複するかどうかが判定される（ステップ３０５）。
【００３１】
ステップ３０５の判定で肯定の結果が出た場合は、ＷＴＲＵが、そのメッセージの受信者リストに加えられる（ステップ３１０）。ステップ３１５で、そのインスタンスについての最大の保持時間が、その受信者リストに現在設定されている時間より短いかどうかが判定される。短い場合は、その保持時間を適当な値に調整する（ステップ３２０）。
【００３２】
ステップ３０５の判定で否定の結果が得られた場合は、そのメッセージを遅らせて他の受信者を探すことができるかどうかを判定する（ステップ３２５）。そのメッセージを遅らせて他の受信者を探すことができない場合、そのメッセージが２人以上の受信者に送信されるかどうかを判定する（ステップ３３０）。そのメッセージが２人以上の受信者に送信されない場合、メッセージは通常の配信がスケジュールされる（ステップ３３５）。メッセージが２人以上の受信者に送信される場合、またはメッセージを遅らせて他の受信者を探すことができると判定される場合は、受信者リストの待ち行列にエントリが作成され、１つまたは複数のＷＴＲＵが追加され、保持時間が適当な値に設定される（ステップ３４０）。
【００３３】
図７は、本発明の好ましい実施形態による、所定の保持時間を越えてマルチキャスト待ち行列にある受信者リストがあるかどうかを周期的に調べるための方法ステップを説明するフローチャートである。保持時間を越えてマルチキャスト待ち行列に残っている受信者リストがあると判定されると（ステップ４０５）、その受信者リストにあるＷＴＲＵを、同じデータ配信カバーエリア内のグループに分ける（ステップ４１０）。次いで、送信すべき別のグループがあるかどうかを判定する（ステップ４１５）。送信すべき別のグループがある場合は、ＷＴＲＵ識別子、メッセージポインタ、および１つのメッセージインスタンスの送信をスケジュールする（ステップ４２０）。送信すべき別のグループがない場合は、受信者リストを削除する（ステップ４２５）。
【００３４】
本発明について好ましい実施形態の観点から説明したが、頭記の特許請求の範囲に概説される本発明の範囲内にある他の変形形態が当業者に明らかになろう。
【図面の簡単な説明】
【００３５】
【図１】従来技術による、複数のＷＴＲＵが同じメッセージを受信するための、メッセージとポインタ間に１対１の対応関係を有する、フレーム化した時間シーケンスの図である。
【図２】本発明による、複数のＷＴＲＵがメッセージを受信するモバイルネットワークの図である。
【図３】本発明による、メッセージが複数の宛先識別子に配信されると識別されるにも関わらずメッセージの単一のインスタンスのみが送信される、フレーム化した時間シーケンスの図である。
【図４】フレーム化した時間シーケンスに含まれる宛先識別子とポインタをより効率的に処理する図である。
【図５】メッセージが直接ＳＩＢに含まれる、図４に示す図の変形の図である。
【図６】本発明の好ましい実施形態による、メッセージ到着分析ルーチンによって実施される方法ステップを示すフローチャートである。
【図７】本発明の好ましい実施形態による、所定の保持時間を越えてマルチキャスト待ち行列にある受信者リストがあるかどうかを周期的に調べる方法ステップを示すフローチャートである。
【符号の説明】
【００３６】
１１  モバイルネットワーク
１５  ノードＢ１５
１４  無線ネットワークコントローラ（ＲＮＣ）
１２、１３  基地局
【図１】
2006074813.tif 000003
【図２】
2006074813.tif 000004
【図３】
2006074813.tif 000005
【図４】
2006074813.tif 000006
【図５】
2006074813.tif 000007
【図６】
2006074813.tif 000008
【図７】
2006074813.tif 000009